(57)【特許請求の範囲】
【請求項１】
一組の雌雄コネクタハウジング相互が嵌合することで雌雄端子が接続されるコネクタであって、前記雌雄端子が電気的に接続された状態を維持したまま、前記雌雄コネクタハウジング相互の嵌合長さが伸縮可能であり、前記コネクタハウジング相互の嵌合長さは、一方のコネクタハウジングに設けられたスライド用突起が他方のコネクタハウジングに設けられたスライド溝にスライド可能な状態で嵌合されることで伸縮し、前記雌雄端子の雌雄タブの長さがスライドストローク以上であることを特徴とする余長吸収コネクタ。
【発明の詳細な説明】
【０００１】
【発明の属する技術分野】
本発明は、電気機器等の電線を接続するコネクタに関し、詳しくは電線の余長を吸収することができる余長吸収コネクタに関するものである。
【０００２】
【従来の技術】
従来の余長吸収コネクタは、雄コネクタが前部と後部のハウジング体からなり、前後のハウジング体がヒンジ機構によって連結され、後部ハウジング体が回転移動することで電線の余長の配索方向を所定方向に規制するものである。以下にその概要を説明する。
【０００３】
図７に示したように、後部ハウジング体３を前部ハウジング体２に対して直角になる位置まで回転させた状態の雄コネクタ１の斜視図である。後部ハウジング体３が回転支持部４の挿通孔４ａを中心に上方に９０度回転することで後部ハウジング体３内を挿通する電線５も上方向を向くことになり、この立ち上がった高さ分だけ余長を吸収することができる。
この時、前部ハウジング体２内に嵌挿された雌ターミナル６の係止爪部６ａに後部ハウジング体３の係止片７が回転移動して嵌挿されると共に、係止片７の両側面に設けた一対の係止突起８が前部ハウジング体２の係止面９に係止される。
【０００４】
【発明が解決しようとする課題】
上記構成の従来のコネクタによれば、電線の配索方向を規制することで電線の余長吸収を行うことができるが、余長吸収長さはコネクタの形状によって一定の長さに限られるため、余長の微調整ができず、吸収長さが長すぎたり又は短すぎたりして、電気機器等の取り付け時の作業性が悪くなるという問題があった。
【０００５】
本発明は、上記課題に鑑みてなされたものであり、一組の雌雄コネクタハウジング相互が嵌合した状態で、電線の余長を微調整して取り付け時の作業性の向上を図ることができる余長吸収コネクタを提供することを目的とする。
【０００６】
【課題を解決するための手段】
上記目的を達成するための本発明の請求項１に係る余長吸収コネクタは、一組の雌雄コネクタハウジング相互が嵌合することで雌雄端子が接続されるコネクタであって、前記雌雄端子が電気的に接続された状態を維持したまま、前記雌雄コネクタハウジング相互の嵌合長さが伸縮可能であり、前記コネクタハウジング相互の嵌合長さは、一方のコネクタハウジングに設けられたスライド用突起が他方のコネクタハウジングに設けられたスライド溝にスライド可能な状態で嵌合されることで伸縮し、前記雌雄端子の雌雄タブの長さがスライドストローク以上であることを特徴とする。
【０００７】
前記構成の余長吸収コネクタによれば、雌雄端子が電気的に接続された状態を維持したまま雌雄コネクタハウジング相互の嵌合長さが伸縮することで、その伸縮長さによって電線の余長を微調整することができ、取り付け時の作業性を向上させることができる。
【０００９】
前記構成の余長吸収コネクタによれば、一方のコネクタハウジングに設けられたスライド用突起が他方のコネクタハウジングに設けられたスライド溝にスライド可能な状態で嵌合されることで、前記コネクタハウジング相互を余長に対応させてスライドさせ、該コネクタハウジング相互の嵌合長さを伸縮させることで電線の余長を容易に微調整することができる。
【００１０】
【発明の実施の形態】
以下、本発明に係るコネクタの嵌合構造の一実施形態を図１乃至図６に基づいて説明する。図１（ａ）は本発明の余長吸収コネクタの一実施形態に係る雌雄コネクタハウジングの斜視図、図１（ｂ）は本発明の余長吸収コネクタの一実施形態に係る雌雄端子の斜視図、図２は図１における雌雄端子を嵌挿した雌雄コネクタの縦断面図、図３は雌雄コネクタ相互が嵌合し、コネクタ全長が最長の状態を示す斜視図、図４は図３における縦断面図、図５は雌雄コネクタ相互が嵌合し、コネクタ全長が最短の状態を示す斜視図、図６は図５における縦断面図である。
【００１１】
図１（ａ）及び図２に示すように、本実施形態の雄コネクタ１０のコネクタハウジング１１は、内部に後述する相手のコネクタハウジング２１を嵌合するための嵌合室１２が形成され、嵌合室１２より後方には後述する雄端子１６を収容する端子収容室１３が設けられている。また、前記コネクタハウジング１１の両側面には嵌合方向に延びたスライド溝１４が形成されている。また、スライド溝１４の前方にはスライド溝１４前端をコネクタハウジング１１前端より前方に張り出すための張り出し部１５が形成されている。
【００１２】
また、雌コネクタ２０のコネクタハウジング２１は、内部に後述する雌端子２５を収容する端子収容室２２を備え、前端から雄端子１６を嵌挿するための挿入孔２３が設けられている。また、ハウジング２１の両側面にはスライド溝１４にスライド可能に係合するスライド用突起２４が突設されている。なお、スライド用突起２４は嵌合方向前端にテーパ部を形成し、スライド溝１４への係合を容易にしている。
【００１３】
また、前記雄コネクタ１０の端子収容室１３内には、図１（ｂ）に示すような雄端子１６が収容されており、その雄タブ１７が嵌合室１２内に突出している。この雄端子１６はターミナルランスがハウジング１１に設けられた凹部に係止することで雄コネクタハウジング１１に固定されている。
また、前記雌コネクタ２０の端子収容室２２内には、雌端子２５が収容されている。この雌端子２５は、ターミナルランスがハウジング２１に設けられた凹部に係止することで雌コネクタハウジング２１に固定されている。
【００１４】
前記雄端子１６の雄タブ１７は、接続方向に平板状に伸延されている。また、雌端子２５の雌タブ２６は、接続方向に略平板状に伸延されており、雄タブ１７を収容するために側端部が立ち上がるように形成され、先端部には雄タブ１７を把持するための押さえ部２７が備えられている。
【００１５】
次に、前記雌雄端子２５，１６の嵌合方向の長さについて説明する。前記雌雄端子２５，１６は、スライド溝１４とスライド用突起２４の係合によって起こる雌雄コネクタ２０，１０のスライド移動の際に、電気的な接続を維持するために必要な長さを有しなければならない。すなわち、雌雄コネクタ２０，１０のスライドストロークは、スライド用突起２４の嵌合するスライド溝１４の嵌合方向の長さによって決まり、雌雄端子２５，１６の導通可能な雌雄タブ２６，１７長さをストローク以上に設ける必要がある 。
【００１６】
従って、雌端子２５の前端から加締部までの雌タブ２６の長さｌ1 をスライドのストローク以上に設定し、嵌合室１２内に突出した雄タブ１７の長さｌ0 は、雌タブ２６の長さｌ1 にコネクタハウジング２１の前端壁の厚さｌ2 を加えた長さに等しいか又はそれより短く設定されている。
【００１７】
次に、上記雄コネクタ１０と雌コネクタ２０との嵌合作用について説明する。先ず、図１及び図２に示すように、雌雄コネクタ２０，１０を嵌合可能な位置に対峙させ、雌コネクタ２０の一方のスライド用突起２４を雄コネクタ１０の同じ側のスライド溝１４前端に嵌め込んでから、反対側にある他方のスライド用突起２４をもう片方のスライド溝１４前端に嵌め込む（図３参照）。
【００１８】
または、雌雄コネクタ２０，１０を嵌合可能な位置に対峙させ、雌コネクタ２０両側面のスライド用突起２４，２４を雄コネクタ１０の双方の張り出し部１５，１５前端に当接させ、嵌合方向に押し込む。これにより、スライド用突起２４前端のテーパ部によって張り出し部１５が外側に撓んで広がり、スライド用突起２４，２４が双方のスライド溝１４，１４前端内に略同時に嵌り込む（図３参照）。
【００１９】
この時、図４に示すように、雄コネクタ１０内の雄端子１６の雄タブ１７が雌コネクタ２０前端の挿入孔２３を貫通して雌端子２５前端の押さえ部２７内に嵌挿され、双方の雌雄端子２５，１６が電気的に接続状態となる。
そして、雌コネクタ２０は、図３に示したように、雄コネクタ１０に対して図中矢印方向のみスライド可能であり、雌雄コネクタ２０，１０の長さが最大ハウジング長さＬ0 の状態にある。すなわち、この状態は、電線Ｗの余長吸収長さが最小状態であることを意味する。
【００２０】
次に、図５及び図６に示すように、雌雄コネクタ２０，１０相互の嵌合を進めて行くと、雌雄コネクタ２０，１０の嵌合長さが増すと共に雌雄端子２５，１６の接触長さが徐々に増えて行く。そして、雌コネクタ２０のスライド用突起２４が雄コネクタ１０のスライド溝１４後端に当接すると、雄コネクタ１０に対する雌コネクタ２０のスライドが規制される。
【００２１】
この時、雌コネクタ２０のコネクタハウジング２１前端が雄コネクタ１０の嵌合室１２奥部に当接すると共に、雌雄端子２５，１６の接触長さが最大となる。そして、雌コネクタ２０は、雄コネクタ１０に対して図中矢印方向のみスライド可能となり、雌雄コネクタ２０，１０の長さが最小ハウジング長さＬ1の状態にある。すなわち、この状態は、電線Ｗの余長吸収長さが最大状態であることを意味する。
【００２２】
上述したように上記実施形態の余長吸収コネクタは、雌雄端子２５，１６が電気的に接続された状態を維持したままで、雌雄コネクタ２０，１０相互の嵌合長さが最小ハウジング長さＬ1乃至最大ハウジング長さＬ0の間で伸縮可能である。従って、この伸縮長さによって電線の余長を略自動的に微調整することができ、取り付け時の作業性を向上させることができる。
【００２３】
【発明の効果】
以上説明したように本発明の余長吸収コネクタによれば、雌雄端子が電気的に接続された状態を維持したまま、雌雄コネクタ相互の嵌合長さが伸縮可能である。従って、伸縮長さによって電線の余長を微調整することができ、取り付け時の作業性を向上させることができる。
【００２４】
また、前記余長吸収コネクタにおいて、雌雄コネクタ相互の嵌合長さが、一方のコネクタハウジングに設けられたスライド用突起が他方のコネクタハウジングに設けられたスライド溝にスライド可能な状態で嵌合されることで伸縮し、前記雌雄端子の雌雄タブの長さがスライドストローク以上である。
従って、一方のコネクタハウジングに設けられたスライド用突起が他方のコネクタハウジングに設けられたスライド溝にスライド可能な状態で嵌合され、コネクタハウジング相互を余長に対応させてスライドさせ、該コネクタハウジング相互の嵌合長さを伸縮させることで電線の余長を容易に微調整することができる。
【図面の簡単な説明】
【図１】本発明の余長吸収コネクタの一実施形態を示す斜視図であり、図１（ａ）は雌雄コネクタハウジングの斜視図、図１（ｂ）は雌雄端子の一実施形態を示す斜視図である。
【図２】図１における雌雄端子を嵌挿した雌雄コネクタの縦断面図である。
【図３】雌雄コネクタ相互が嵌合し、コネクタ全長が最長の状態を示す斜視図である。
【図４】図３における縦断面図である。
【図５】雌雄コネクタ相互が嵌合し、コネクタ全長が最短の状態を示す斜視図である。
【図６】図５における縦断面図である。
【図７】従来の余長吸収コネクタを示す斜視図である。
【符号の説明】
１０    雄コネクタ
１１    雄コネクタハウジング
１２    嵌合室
１３    端子収容室
１４    スライド溝
１５    張り出し部
１６    雄端子
１７    雄タブ
２０    雌コネクタ
２１    雌コネクタハウジング
２２    端子収容室
２３    挿入孔
２４    スライド用突起
２５    雌端子
２６    雌タブ
２７    押さえ部
【図１】
0003897546.tif 000002
【図２】
0003897546.tif 000003
【図３】
0003897546.tif 000004
【図４】
0003897546.tif 000005
【図５】
0003897546.tif 000006
【図６】
0003897546.tif 000007
【図７】
0003897546.tif 000008